(57)【特許請求の範囲】
【請求項１】
弾性変形可能な発泡樹脂体により矩形状に形成された基体からなるマットレスにおいて、
前記基体の長手方向へ延在する長手端部の所要位置から該長手方向と交差する方向へ所要長に延在し、該基体の表側および裏側に開口するスリットと、
前記スリットの延長線に沿って延在し、該スリットを挟んで前記長手方向に並んだ一方の基体部および他方の基体部よりも弾性変形が容易な形状に形成された第１の変形容易部と、
前記一方の基体部における前記長手端部から前記スリットの長さに相当する範囲に位置する可動部に、該スリットの延在方向と交差する方向へ延在し、この可動部および該可動部と短手方向で並んだ基部よりも弾性変形が容易な形状に形成された第２の変形容易部とを備えた
ことを特徴とするマットレス。
【請求項２】
前記基体の短手方向に離間する各長手端部から同一線上に延在すると共に、該短手方向に離間した一対の前記スリットが設けられ、
前記両スリットの間に前記第１の変形容易部が設けられ、
前記一方の基体部は、前記第２の変形容易部を介して前記他方の基体部に連なる前記基部を挟んで前記短手方向に離間した一対の前記可動部が設けられている請求項１記載のマットレス。
【請求項３】
前記可動部における前記スリットに臨む部分に、前記他方の基体部との干渉を回避する第１面取り部が設けられていると共に、
前記他方の基体部における前記スリットに臨む部分に、前記可動部との干渉を回避する第２面取り部が設けられており、
前記一方の基体部の基部が前記第１の変形容易部の変形により他方の基体部に対し折れ曲がった状態で、前記可動部が、前記第２の変形容易部の変形により前記基部に対し折り曲げ可能に構成された請求項１または２記載のマットレス。
【請求項４】
前記基体の表側に、所定方向へ延在する第１溝が設けられていると共に、
前記基体の裏側に、前記第１溝と交差する方向へ延在する第２溝が設けられており、
前記第１溝および第２溝の交差位置における該第１溝の深さ寸法および該第２溝の深さ寸法の合計深さ寸法は、前記基体の表裏方向における厚み寸法より大きく設定されており、
前記第１溝および第２溝の交差位置に、前記基体の表裏に開口する開口が形成されている請求項１〜３の何れか一項に記載のマットレス。
【発明の詳細な説明】
【技術分野】
【０００１】
この発明は、弾性変形可能な発泡樹脂体により矩形状に形成された基体からなるマットレスに関するものである。
【背景技術】
【０００２】
図７に示すように、弾性変形可能な発泡樹脂体により矩形状に形成された基体６１からなるマットレス６０が実用化されている。このマットレス６０は、長手方向における所定位置での折れ曲がりが可能に構成されており、例えば図８に示すようなリクライニングタイプのベッドＢＤ１において使用が可能となっている。ここで、前記ベッドＢＤ１は、フレーム体１２の上部に配設された可動式の底板体１４を備えており、該底板体１４の上面に前記マットレス６０が載置される。前記底板体１４は、ベッドＢＤ１の長手方向へ一列に並ぶと共に連結された複数(図８では５つ)の底板(第１〜第５底板１５〜１９)からなり、隣接する底板１５〜１９は第１〜第４ヒンジ部２１,２２,２３,２４により連結されている。そして底板体１４は、図示省略した作動機構の作動により、底板体１４が全体的に平坦となった平坦状態(図示せず)と、第１〜第５底板１５〜１９が個別に姿勢変位して該底板体１４が長手方向で折れ曲がったリクライニング状態とに姿勢変位する。これに伴って前記マットレス６０は、前記底板体１４の平坦状態に対応して基体６１の全体が平坦となった平坦状態(図７(ａ))と、該底板体１４のリクライニング状態に対応して該基体６１が長手方向で起伏した折り曲げ状態(図７(ｂ))とに変形が可能となっている。このようなマットレスは、特許文献１に開示されている。
【先行技術文献】
【特許文献】
【０００３】
【特許文献１】特開２００５−３１２６４９号公報
【発明の概要】
【発明が解決しようとする課題】
【０００４】
ここで、近年においては、使用者の身体のホールド性を更に高めるため、図９に示すリクライニングタイプのベッドＢＤ２が提案されている。このベッドＢＤ２は、使用者の上半身を支持する前記第１底板１５が、更に変形するよう構成されている。すなわち、第１底板１５は、短手方向において中央に位置するセンター底板１５ａと、該センター底板１５ａを挟んだ両側に位置するサイド底板１５ｂ,１５ｃとから構成されている。そして、センター底板１５ａがヒンジ部２５を介して第２底板１６に連結され、一方のサイド底板１５ｂがヒンジ部２５を介して該センター底板１５ａに連結されると共に、他方のサイド底板１５ｃがヒンジ部２６を介して該センター底板１５ａに連結されている。このような第１底板１５は、前記作動機構の作動により、センター底板１５ａおよび両サイド底板１５ｂ,１５ｃが平坦となった平坦状態と、該センター底板１５ａに対して両サイド底板１５ｂ,１５ｃが基体６１の表側へ傾斜状に折れ曲がったサイドアップ状態(図９参照)とに姿勢変位する。
【０００５】
しかし、図９に示すベッドＢＤ２に対して、図７に示す従来のマットレス６０を使用した場合には、第１底板１５が前記サイドアップ状態に姿勢変位した際に、基体６１における前記第１底板１５に支持された部分(第１基体部)６２が、該第１底板１５の上面に沿う形状に追従変形できない。すなわち、基体６１の第１基体部６２と第２基体部６３とが短手方向の全体が連なっているため、第１底板１５がサイドアップ状態に姿勢変位した際に、第１基体部６２は、短手方向において折れ曲がった状態に変形し難いのでセンター底板１５ａから浮き上がってしまう。このように第１基体部６２が第１底板１５に追従して変形しない場合には、短手方向における使用者の上半身のホールド性が向上しない。
【０００６】
本発明は、従来の技術に係る前記問題に鑑み、これらを好適に解決するべく提案されたものであって、使用者の身体のホールド性を向上させたマットレスを提供することを目的とする。
【課題を解決するための手段】
【０００７】
前記課題を克服し、所期の目的を達成するため、本願の請求項１に係る発明のマットレスは、弾性変形可能な発泡樹脂体により矩形状に形成された基体からなるマットレスにおいて、
前記基体の長手方向へ延在する長手端部の所要位置から該長手方向と交差する方向へ所要長に延在し、該基体の表側および裏側に開口するスリットと、
前記スリットの延長線に沿って延在し、該スリットを挟んで前記長手方向に並んだ一方の基体部および他方の基体部よりも弾性変形が容易な形状に形成された第１の変形容易部と、
前記一方の基体部における前記長手端部から前記スリットの長さに相当する範囲に位置する可動部に、該スリットの延在方向と交差する方向へ延在し、この可動部および該可動部と短手方向で並んだ基部よりも弾性変形が容易な形状に形成された第２の変形容易部とを備えたことを要旨とする。
請求項１に係る発明によれば、スリットの延長線に沿って設けられた第１の変形容易部が弾性変形することにより、他方の基体部に対して一方の基体部が、基体の長手方向において適切に折れ曲がる。また、第１の基体部においては、可動部に設けられた第２の変形容易部が弾性変形することにより、基部に対して可動部が基体の短手方向において適切に折れ曲がる。特に、一方の基体部における可動部は、スリットにより他方の基体部から分離しているので、該他方の基体部が弾性変形することなく該可動部が基部に対して折れ曲がるようになる。これにより、基体で支持した使用者の身体を、該基体の短手方向において可動部で支持することができ、ホールド性が向上する。
【０００８】
請求項２に記載の発明では、
前記基体の短手方向に離間する各長手端部から同一線上に延在すると共に、該短手方向に離間した一対の前記スリットが設けられ、
前記両スリットの間に前記第１の変形容易部が設けられ、
前記一方の基体部は、前記第２の変形容易部を介して前記他方の基体部に連なる前記基部を挟んで前記短手方向に離間した一対の前記可動部が設けられていることを要旨とする。
請求項２に係る発明によれば、一方の基体部では、基部を挟んで短手方向に離間した一対の可動部が該基部に対して折れ曲がるので、使用者の身体を短手方向の両側から両可動部で支持することが可能となり、ホールド性が向上する。
【０００９】
請求項３に記載の発明では、
前記可動部における前記スリットに臨む部分に、前記他方の基体部との干渉を回避する第１面取り部が設けられていると共に、
前記他方の基体部における前記スリットに臨む部分に、前記可動部との干渉を回避する第２面取り部が設けられており、
前記一方の基体部の基部が前記第１の変形容易部の変形により他方の基体部に対し折れ曲がった状態で、前記可動部が、前記第２の変形容易部の変形により前記基部に対し折り曲げ可能に構成されたことを要旨とする。
請求項３に係る発明によれば、一方の基体部が他方の基体部に対して折れ曲がった状態で、基部に対して可動部が折れ曲がることが規制されない。
【００１０】
請求項４に記載の発明では、
前記基体の表側に、所定方向へ延在する第１溝が設けられていると共に、
前記基体の裏側に、前記第１溝と交差する方向へ延在する第２溝が設けられており、
前記第１溝および第２溝の交差位置における該第１溝の深さ寸法および該第２溝の深さ寸法の合計深さ寸法は、前記基体の表裏方向における厚み寸法より大きく設定されており、
前記第１溝および第２溝の交差位置に、前記基体の表裏に開口する開口が形成されていることを要旨とする。
請求項４に係る発明によれば、第１溝および第２溝の交差位置に形成されている通気孔により、基体の蒸れが防止されて使用感の向上を図り得る。
【発明の効果】
【００１１】
本発明に係るマットレスによれば、長手方向および短手方向の両方向で基体の折れ曲がり変形が可能となるので、使用者の身体のホールド性向上が図られる。
【図面の簡単な説明】
【００１２】
【図１】(ａ)は、溝を省略すると共に平坦状態とした実施例のマットレスを表側から見た斜視図、(ｂ)は、溝を省略すると共に折り曲げ状態とした実施例のマットレスを表側から見た斜視図である。
【図２】平坦状態とした実施例のマットレスを表側から見た斜視図である。
【図３】(ａ)はマットレスの平面図、(ｂ)はマットレスの正面図、(ｃ)はマットレスの底面図、(ｄ)はマットレスの左側面図である。
【図４】第１基体部が、第２基体部に対して第１変形容易部の変形により折れ曲がることを示す説明図である。
【図５】図１(ｂ)のＸ１−Ｘ１線断面図であって、第１基体部のサイド部分が、第５および第６変形容易部の変形により折れ曲がることを示す説明図である。
【図６】図３のＸ２−Ｘ２線断面図であって、基体の表側に設けられた第２表溝と該基体の裏側に設けられた第３表溝との交差位置に形成された通気孔を示している。
【図７】(ａ)は、平坦状態とした従来のマットレスを表側から見た斜視図、(ｂ)は、に折り曲げ状態とした従来のマットレスを表側から見た斜視図である。
【図８】(ａ)は、通常状態とした従来のベッドを示す斜視図、(ｂ)は、リクライニング状態とした従来のベッドを示す斜視図である。
【図９】リクライニング状態とした別の従来のベッドを示す斜視図である。
【発明を実施するための形態】
【００１３】
次に、本発明に係るマットレスにつき、好適な実施例を挙げて、添付図面を参照して以下に説明する。ここで、実施例では、使用者と接する側をマットレス１０の表側とし、ベッドの底板体に接する側をマットレス１０の裏側と指称する。
【実施例】
【００１４】
（ベッドＢＤ２の概要）
実施例のマットレス３０を使用するベッドＢＤ２は、図９に示すように、平面視において矩形状をなすフレーム体１２と、該フレーム体１２の上部に配設される可動式の底板体１４とを備えており、該底板体１４の上面に、図２に示す実施例のマットレス３０が載置される。フレーム体１２は、底板体１４を支持する支持部１２ａと、該支持部１２ａにおける各短手端部から下方へ延出する脚部１２ｂとを備えている。また、フレーム体１２は、支持部１２ａにおける長手方向に離間した一方の短手端部から上方へ延出するヘッドボード１２ｃと、他方の短手端部から上方へ延出するフットボード１２ｄとを備えており、ヘッドボード１２ｃ側に頭部が位置する姿勢で使用者がマットレス３０に横たわるよう構成されている。
【００１５】
（マットレス３０について）
実施例のマットレス３０は、図１および図２に示すように、弾性変形が可能な樹脂発泡体(例えば、ポリエーテル系ポリウレタンフォーム等)により形成された平板状の基体３１からなる。この基体３１は、長手方向および短手方向において全体が略均一の厚さに形成された一体成形部材である。そして、基体３１は、長手方向における所要位置に、該長手方向と交差する方向へ所要長に延在するスリット５５,５６が設けられていると共に、該スリット５５,５６の延長線に沿って延在する複数(実施例では４つ)の変形容易部３７〜４０が設けられている。ここで、第１〜第４変形容易部３７〜４０は、図９に示す前記ベッドＢＤ２の底板体１４における第１〜第４ヒンジ部２１〜２４に対応する位置に設けられている。そして、基体３１は、第１変形容易部(第１の変形容易部)３７を挟んで長手方向に並んだ第１基体部(一方の基体部)３２および第２基体部(他方の基体部)３３から構成されている。従って、基体３１は、第１変形容易部３７が弾性変形することで、第２基体部３３に対して第１基体部３２が折れ曲がると共に、第２〜第４変形容易部３８〜４０が弾性変形することで、第２基体部３３が長手方向において折れ曲がり、平坦状態(図１(ａ)、図２)および折れ曲がり状態(図１(ｂ))に姿勢変位が可能となっている。
【００１６】
前記マットレス３０は、前記ベッドＢＤ２の底板体１４に載置した際に、第１基体部３２が該底板体１４の前記第１底板１５で支持され、第２基体部３３が該底板体１４の前記第２〜第５底板１６〜１９で支持される。そして、基体３１は、底板体１４が変形することにより、第１基体部３２および第２基体部３３が、該底板体１４の形状に追従して変形するようになる。なお、基体３１は、ベッドＢＤ２の底板体１４のサイズに応じて長手方向および短手方向の寸法が設定されると共に、第１基体部３２および第２基体部３３の寸法が設定される。また、マットレス３０は、基体３１をカバー(図示せず)内に収容して使用に供される場合もある。
【００１７】
(表溝４５,４６について)
図２〜図６に示すように、前記マットレス３０における基体３１の表側(上側)には、複数の表溝４５,４６が形成されている。すなわち、基体３１の表側には、該基体３１の長手方向へ延在する第１表溝４５が、該基体３１の短手方向へ所要間隔毎に複数(実施例では１０個)形成されている。また、基体３１の表側には、該基体３１の短手方向へ延在する第２表溝(第１溝)４６が、該基体３１の長手方向へ所要間隔毎に複数(実施例では２２個)形成されている。ここで、各第１表溝４５および各第２表溝４６は、基体３１の表面からの深さが全長に亘って一定であると共に、何れの表溝４５,４６も深さ寸法Ｄ１,Ｄ２(図３(ｂ)、図３(ｄ)参照)が同じである。そして、第１表溝４５の形成間隔は、基体３１の短手方向の中央部が、該短手方向中央部を挟んだ両部よりも広くなっている。
【００１８】
そして、基体３１の表側には、長手方向へ延在する各第１表溝４５および短手方向へ延在する各第２表溝４６が交差していることにより、ブロック状をなす四角形の第１個別変形部４９が、長手方向および短手方向へ整列した状態で多数形成されている。各第１個別変形部４９は、基体３１に横たわった使用者の身体により上方から荷重が掛かることで、個別に弾性変形が可能となっている。なお、第１個別変形部４９は、第１表溝４５の形成間隔および第２表溝４６の形成間隔に応じて、平面視におけるサイズが異なっている。そして、第１個別変形部４９は、長手方向および短手方向の幅が小さいほど圧縮弾性変形が発現し易く、長手方向および短手方向の幅が大きいほど圧縮弾性変形が発現し難くなっている。なお実施例では、図２および図３(ａ)に示すように、仰向けに横たわった使用者の体重を受けるようになる基体３１の短手方向中央部と、短手方向の両端近傍では、第１個別変形部４９のサイズが大きく設定されており、短手方向において中央部を挟む両側部では、第１個別変形部４９のサイズが中央部に位置する第１個別変形部４９よりも小さく設定されている。
【００１９】
(裏溝４７,４８について)
図２〜図６に示すように、前記マットレス３０における基体３１の裏側(下側)には、複数の裏溝４７,４８が形成されている。すなわち、基体３１の裏側には、該基体３１の長手方向へ延在する第１裏溝(第２溝)４７が、該基体３１の短手方向へ所要間隔毎に複数(実施例では９個)形成されている。また、基体３１の裏側には、該基体３１の短手方向へ延在する第２裏溝４８が、該基体３１の長手方向へ間隔をおいて複数(実施例では１６個)形成されている。ここで、各第１裏溝４７は、基体３１の表面からの深さが全長に亘って一定であると共に、何れの第１裏溝４７も深さ寸法Ｄ３(図３(ｄ)参照))が同じである。各第２裏溝４８は、基体３１の表面からの深さが全長に亘って一定であると共に、何れの第２裏溝４８も深さ寸法Ｄ４(図３(ｂ)参照)が同じである。ここで、第２裏溝４８の深さ寸法Ｄ４は、第１裏溝４７の深さ寸法Ｄ３よりも小さく設定されている。
【００２０】
そして、図３(ｂ)および図６に示すように、前記各第１裏溝４７と各第１表溝４５とは、基体３１の短手方向においてずれた位置に設けられており、短手方向に隣接する第１表溝４５,４５の間に第１裏溝４７が位置している。また、第２裏溝４８は、前記第１〜第４変形容易部３７〜４０が設けられる位置では、基体３１の長手方向における間隔が狭くなっており、該第１〜第４変形容易部３７〜４０は、第２裏溝４８の間隔が狭くなっていることで、第１基体部３２および第２基体部３３における第２〜第４変形容易部３８〜４０が設けられる部位から外れた部位よりも弾性変形が容易に発現するようになっている。
【００２１】
そして、基体３１の裏側には、長手方向へ延在する各第１裏溝４７および短手方向へ延在する各第２裏溝４８が交差していることにより、ブロック状をなす四角形の第２個別変形部５０が多数形成されている。各第２個別変形部５０は、基体３１に横たわった使用者の身体により上方から荷重が掛かることで、個別に弾性変形が可能となっている。なお、第２個別変形部５０は、第１裏溝４７の形成間隔および第２裏溝４８の形成間隔に応じて、平面視におけるサイズが異なっている。そして、第２個別変形部５０は、サイズが小さいほど弾性変形が発現し易くなっている。なお実施例では、図３(ｃ)に示すように、短手方向の両端近傍では、第２個別変形部５０のサイズが大きく設定されており、短手方向の両端近傍を除いた部分では、第２個別変形部５０のサイズが短手方向の両端近傍に位置する第２個別変形部５０よりも小さく設定されている。
【００２２】
(貫通孔５２について)
実施例のマットレス３０は、図２および図３に示すように、前記基体３１の表側から凹んだ前記第２表溝４６と、該基体３１の裏側から凹んだ前記第１裏溝４７とが、略直角の関係で互いに交差している。そして、実施例では、第２表溝４６の深さ寸法Ｄ２および第１裏溝４７の深さ寸法Ｄ３を合わせた合計深さ寸法Ｄｔ(Ｄ２＋Ｄ３)は、基体３１の厚み寸法Ｄよりも大きく(Ｄｔ＞Ｄ)設定されている。これにより、図６に示すように、各第２表溝４６と各第１裏溝４７との交差部分には、基体３１の厚み方向(表裏方向)に貫通した通気孔５２が形成されている。すなわち、実施例のマットレス３０は、基体３１の厚み方向に貫通した多数の通気孔５２が、該基体３１の全体に点在的に形成されており、該通気孔５２を介して基体３１の表側から裏側への空気の通過および該基体３１の裏側から表側への空気の通過が許容された通気性が高い構造となっている。従って、実施例のマットレス３０は、基体３１の表側に深さ寸法Ｄ２の第２表溝４６を設けると共に、該基体３１の裏側に深さ寸法Ｄ３の第１裏溝４７を設けることで、通気孔５２が開設される。
【００２３】
一方、前記第１表溝４５の深さ寸法Ｄ１および前記第２裏溝４８の深さ寸法Ｄ４を合わせた合計深さ寸法は、基体３１の厚み寸法Ｄよりも小さく設定されている。従って、第１表溝４５および第２裏溝４８が交差する部分においては、基体３１の厚み方向へ貫通する通気孔は形成されていない。
【００２４】
(各溝４５〜４８の形状について)
前記第１表溝４５、第２表溝４６、第１裏溝４７および第２裏溝４８は、図２〜図６に示すように、その延在方向と直交する方向における断面形状が、開口部側よりも奥側が幅広となる形状となっている。これにより、各第１個別変形部４９は、基体３１の表側に臨む部分(開口に臨む部分)が隣接する第１個別変形部４９に接触した状態でも、更に奥側において弾性変形が可能となっている。また、各第２個別変形部５０は、基体３１の裏側に臨む部分(開口に臨む部分)が隣接する第２個別変形部５０に接触した状態でも、更に奥側において弾性変形が可能となっている。
【００２５】
(第１〜第４変形容易部３７〜４０について)
前記第１〜第３変形容易部３７〜３９は、図３(ｃ)に示すように、前記第２裏溝４８の形成間隔を長手方向において狭くして複数の該第２裏溝４８を隣接して形成したことにより、第１基体部３２および第２基体部３３における変形容易部３８〜４０が設けられた部分を除く部分よりも弾性変形が容易に発現するように形成されている。また、前記第４変形容易部４０は、図３(ａ)に示すように、前記第２表溝４６の形成間隔を長手方向において狭くして複数の該第２表溝４６を隣接して形成したことにより、第１基体部３２および第２基体部３３における変形容易部３８〜４０が設けられた部分を除く部分よりも弾性変形が容易に発現するように形成されている。そして
【００２６】
前記第１変形容易部３７は、図３(ｂ)、図３(ｃ)および図４に示すように、基体３１におけるヘッド側の短手端部３１ａからフット側の短手端部３１ｂ側へ所要間隔離間した位置に設けられた第２裏溝４８(４８ａ)、および該第２裏溝４８ａに対して基体３１の長手方向両側に隣接して設けられた第２裏溝４８,４８により形成されて基体３１の厚みよりも薄い薄肉部分であり、これら第２裏溝４８(４８ａ)に沿って短手方向へ延在している。ここで、実施例では、前記第２裏溝４８ａが、ヘッド側の短手端部３１ａから４番目に位置する第２裏溝４８である。そして、第１変形容易部３７は、第２裏溝４８ａの延長線上にスリット５５,５６が形成されていることにより、基体３１の短手方向での長さが、該基体３１の短手方向の幅よりも小さくなっている(実施例では、第１変形容易部３７の長さは、基体３１の短手方向の幅の約１／２となっている)。また、第１変形容易部３７の厚みは、第２裏溝４８ａが形成されていることで、基体３１の厚み寸法Ｄの１／２程度となっており、該第１変形容易部３７に隣接する部分よりも厚みが小さいことで弾性変形が容易になっている。このような第１変形容易部３７が、前記第２裏溝４８ａを変形中心として、各第２裏溝４８,４８ａが長手方向へ拡開変形して基体３１の裏面側が伸長変形することにより、第１基体部３２が、第２基体部３３に対して基体３１の表面側へ折り曲げ変形することを可能とする。
【００２７】
前記第２変形容易部３８は、図３(ｂ)および図３(ｃ)に示すように、前記第１変形容易部３７をなす前記第２裏溝４８ａからフット側の短手端部３１ｂ側へ所要間隔離間した位置に設けられた第２裏溝４８(４８ｂ)、および該第２裏溝４８ｂに対して基体３１の長手方向両側に隣接して設けられた第２裏溝４８,４８により形成されて基体３１の厚みよりも薄い薄肉部分であり、これら第２裏溝４８(４８ｂ)に沿って短手方向へ延在している。そして、第２変形容易部３８は、第２裏溝４８(４８ｂ)および該第２裏溝４８(４８ｂ)に隣接する第２表溝４６との間隔が基体３１の厚み寸法Ｄの１／２程度となっており、該第２変形容易部３８に隣接する部分よりも厚みが小さいことで弾性変形が容易になっている。このような第２変形容易部３８は、前記第２裏溝４８ｂを変形中心として、各第２裏溝４８,４８ｂが長手方向へ拡開変形して基体３１の裏面側が伸長変形することにより、該第２変形容易部３８での第２基体部３３の折り曲げ変形を可能とする。前記第３変形容易部３９は、図３(ｂ)および図３(ｃ)に示すように、前記第２変形容易部３８をなす第２裏溝４８ｂからフット側の短手端部３１ｂ側へ所要間隔離間した位置に設けられた第２裏溝４８(４８ｃ)、および該第２裏溝４８ｃに対して基体３１の長手方向両側に隣接して設けられた第２裏溝４８,４８により形成されて基体３１の厚みよりも薄い薄肉部分であり、これら第２裏溝４８(４８ｃ)に沿って短手方向へ延在している。そして、第３変形容易部３９は、第２裏溝４８(４８ｃ)および該第２裏溝４８(４８ｃ)に隣接する第２表溝４６との間隔が基体３１の厚み寸法Ｄの１／２程度となっており、該第３変形容易部３９に隣接する部分よりも厚みが小さいことで弾性変形が容易になっている。このような第３変形容易部３９は、前記第２裏溝４８ｃを変形中心として、各第２裏溝４８,４８ｃが長手方向へ拡開変形して基体３１の裏面側が伸長変形することにより、該第３変形容易部３９での第２基体部３３の折り曲げ変形を可能とする。
【００２８】
前記第４変形容易部４０は、図３(ａ)および図３(ｂ)に示すように、基体３１におけるフット側の短手端部３１ｂからヘッド側の短手端縁部３１ａ側へ所要間隔離間した位置に設けられた第２表溝４６(４６ａ)、および該第２表溝４６ａに対して基体３１の長手方向両側に隣接して設けられた第２表溝４６,４６により形成されて基体３１の厚みよりも薄い薄肉部分であり、これら第２表溝４６(４６ａ)に沿って短手方向へ延在している。そして、第４変形容易部４０は、第２表溝４６(４６ａ)および該第２裏溝４６(４６ａ)に隣接する第２裏溝４８との間隔が基体３１の厚み寸法Ｄの１／２程度となっており、該第４変形容易部４０に隣接する部分よりも厚みが小さいことで弾性変形が容易になっている。このような第４変形容易部４０は、前記第２表溝４６ａを変形中心として、各第２表溝４６,４６ａが長手方向へ拡開変形して基体３１の表面側が伸長変形することにより、該第４変形容易部４０での第２基体部３３の折り曲げ変形を可能とする。
【００２９】
(スリット５５,５６について)
実施例のマットレス３０は、図１〜図３に示すように、第１基体部３２と第２基体部３３との間に、基体３１の表裏方向へ開口するスリット５５,５６が設けられている。すなわち、一方のスリット５５は、基体３１における一方の長手端部３１ｃから他方の長手端部３１ｄに向けて所要長に延在形成されている。また、他方のスリット５６は、基体３１における他方の長手端部３１ｄから一方の長手端部３１ｃに向けて所要長に延在形成されている。そして、一方のスリット５６および他方のスリット５６は、短手方向に延在する前記第１変形容易部３７を形成する前記第２裏溝４８ａに沿って同一直線上に位置するように形成されている。ここで実施例では、一方のスリット５５は、一方の長手端部３１ｃから、該一方の長手端部３１ｃから２番目に位置する第１裏溝４７(４７ａ)と交差する位置まで延在形成されている。また、他方のスリット５６は、他方の長手端部３１ｄから、該他方の長手端部３１ｄから２番目に位置する第１裏溝４７(４７ｂ)と交差する位置まで延在形成されている。
【００３０】
ここで、前記第２裏溝４８ａは、図３(ｃ)および図４に示すように、該第２裏溝４８ａの延在方向と直交する方向(基体３１の長手方向)での開口幅が、他の第２裏溝４８よりも大きく設定された溝である。これにより、第２裏溝４８ａの延長線上に形成される前記スリット５５,５６は、該第２裏溝４８ａの開口幅と同じ開口幅に形成されている。
【００３１】
(第１基体部３２について)
前記第１基体部３２は、図１〜図３に示すように、前記第１変形容易部３７に沿って形成された前記スリット５５,５６により、第１変形容易部３７を介して前記第２基体部３３に連なる部分と、該第２基体部３３に連ならない部分とから構成されている。すなわち、第１基体部３２は、第２基体部３３に連なるセンター部分(基部)３２ａと、該センター部分３２ａに連なっていると共に前記第２基体部３３から分離しているサイド部分(可動部)３２ｂ,３２ｃとを備えている。実施例では、短手方向に離間して２つのスリット５５,５６が設けられていることで、短手方向においてセンター部分３２ａを挟んだ両側に、一方のサイド部分３２ｂおよび他方のサイド部分３２ｃが夫々設けられている。
【００３２】
センター部分３２ａは、基体３１の短手方向における幅が、両スリット５５,５６の端部間の間隔と同じである。一方のサイド部分３２ｂは、基体３１の短手方向の幅が、前記一方のスリット５５の延在長さと同じになっている。すなわち、一方のサイド部分３２ｂは、基体３１の一方の長手端部３１ｃからの幅が、一方のスリット５５の延在長さと同じである。また、他方のサイド部分３２ｃは、基体３１の短手方向の幅が、前記他方のスリット５６の延在長さと同じになっている。すなわち、他方のサイド部分３２ｃは、基体３１の他方の長手端部３１ｄからの幅が、他方のスリット５６の延在長さと同じである。
【００３３】
(第５変形容易部４１および第６変形容易部４２について)
図１および図３(ｂ)に示すように、一方のサイド部分３２ｂには、一方のスリット５５の延在方向と交差する方向に延在する第５変形容易部(第２の変形容易部)４１が形成されている。すなわち、第５変形容易部４１は、一方のスリット５５とヘッド側の短手端部３１ａとの間に設けられている。そして、第５変形容易部４１は、一方のスリット５５からヘッド側の短手端部３１ａまで、長手方向へ直線状に延在形成されている。実施例では、基体３１における一方の長手端部３１ｃから２番目に位置する第１裏溝４７(４７ａ)により形成されて基体３１の厚みよりも薄い薄肉部である(図３(ｄ)参照)。すなわち、第５変形容易部４１は、第１裏溝４７ａおよび該第１裏溝４７ａに隣接する第１表溝４６との間隔が基体３１の厚み寸法Ｄの１／２程度となっており、弾性変形が容易になっている。このような第５変形容易部４１は、前記第１裏溝４７ａを変形中心として短手方向へ拡開変形して基体３１の裏面側が伸長変形することにより、一方のサイド部分３２ｂが、センター部分３２ａに対して基体３１の表面側へ折り曲げ変形することを可能とする。
【００３４】
また、図１および図３(ｂ)に示すように、他方のサイド部分３２ｃには、他方のスリット５６の延在方向と交差する方向に延在する第６変形容易部(第２の変形容易部)４２が形成されている。すなわち、第６変形容易部４２は、他方のスリット５６とヘッド側の短手端部３１ａとの間に設けられている。そして、第６変形容易部４２は、他方のスリット５６からヘッド側の短手端部３１ａまで、長手方向へ直線状に延在形成されている。実施例では、基体３１における他方の長手端部３１ｄから２番目に位置する第１裏溝４７(４７ｂ)により形成されて基体３１の厚みよりも薄い薄肉部である(図３(ｄ)参照)。すなわち、第６変形容易部４２は、第１裏溝４７ｂおよび該第１裏溝４７ｂに隣接する第１表溝４６との間隔が基体３１の厚み寸法Ｄの１／２程度となっており、弾性変形が容易になっている。このような第６変形容易部４２は、前記第１裏溝４７ｂを変形中心として短手方向へ拡開変形して基体３１の裏面側が伸長変形することにより、他方のサイド部分３２ｃが、センター部分３２ａに対して基体３１の表面側へ折り曲げ変形することを可能とする。
【００３５】
前述のように構成された実施例のマットレス３０は、前記ベッドＢＤ２の底板体１４に載置することで、該底板体１４の第１底板１５の上面に第１基体部３２が対応的に位置すると共に、該底板体１４の第２〜第５底板１６〜１９の上面に第２基体部３３が対応的に位置する。そして、マットレス３０の第１〜第４変形容易部３７〜４０が、底板体１４の第１〜第４ヒンジ部２１〜２４に夫々対応的に位置する。また、マットレス３０の第１基体部３２においては、センター部分３２ａが第１底板１５のセンター底板１５ａに対応的に位置すると共に、両サイド部分３２ｂ,３２ｃが該第１底板１５の両サイド底板１５ｂ,１５ｃに夫々対応的に位置する。また、第１基体部３２の一方のサイド部分３２ｂに設けられた第５変形容易部４１が、第１底板１５の第５ヒンジ部２５に対応的に位置すると共に、他方のサイト部分３２ｃに設けられた第６変形容易部４２が、第１底板１５の第６ヒンジ部２６に対応的に位置する。
【００３６】
(切り欠き部について)
前記第１基体部３２における一方のサイド部分３２ｂにおける一方のスリット５５に臨む端縁、および他方のサイド部分３２ｃにおける他方のスリット５６に臨む端縁に、第２基体部３３との接触を回避する第１の面取り部(第１面取り部)５７ａ,５７ａが設けられている。また、一方のサイド部分３２ｂにおける一方のスリット５５に臨む隅角部、および他方のサイド部分３２ｃにおける他方のスリット５６に臨む隅角部に、第２基体部３３との接触を回避する第２の面取り部(第１面取り部)５７ｂ,５７ｂが設けられている。一方、第２基体部３３における一方のスリット５５に臨む端縁、および他方スリット５６に臨む端縁に、第１基体部３２の一方のサイド部分３２ｂまたは他方のサイド部分３２ｃとの接触を回避する第３の面取り部(第２面取り部)５８ａ,５８ａが設けられている。更に、第２基体部３３における一方のスリット５５に臨む隅角部および他方スリット５６に臨む隅角部に、第１基体部３２の一方のサイド部分３２ｂまたは他方のサイド部分３２ｃとの接触を回避する第４の面取り部(第２面取り部)５８ｂ,５８ｂが設けられている。これにより、図１(ａ)に示すように、第１基体部３２を第２基体部３３に対して折り曲げた状態で、該第１基体部３２の一方のサイド部分３２ｂを折り曲げる際に、該一方のサイド部分３２ｂと第２基体部３３との干渉が回避されて、該一方のサイド部分３２ｂを所定の角度まで折り曲げることが可能となっている。同様に、第１基体部３２を第２基体部３３に対して折り曲げた状態で、該第１基体部３２の他方のサイド部分３２ｃを折り曲げる際に、該他方のサイド部分３２ｃと第２基体部３３との干渉が回避されて、該他方のサイド部分３２ｃを所定の角度まで折り曲げることが可能となっている。
【００３７】
（実施例の作用）
前述のように構成された実施例のマットレス３０は、前記ベッドＢＤ２の底板体１４における第１〜第５底板１５〜１９が前記平坦状態となっている場合に、基体３１における第１基体部３２および第２基体部３３が平坦状態となる(図１(ａ)、図２参照)。これにより使用者は、平坦状態となったマットレス３０に、ヘッド側の短手端部３１ａ側を頭にして横たわることができる。
【００３８】
一方、ベッドＢＤ２に設けられた前記作動機構の作動に基づいて、底板体１４が図８に示すベッドＢＤ１と同様に前記リクライニング状態となった場合には、実施例のマットレス３０は、図１(ｂ)に示すように、基体３１における第１基体部３２が、対応する第１底板１５の姿勢変位に追従して姿勢変位すると共に、第２基体部３３が、対応する第２〜第５底板１６〜１９の姿勢変位に追従して姿勢変位することで、長手方向において折れ曲がった状態となる。すなわち、第２底板１６に対して、第１底板１５が第１ヒンジ部２１を中心として揺動変位することで、該第２底板１６に支持された第２基体部３３に対して、第１底板１５に支持された第１基体部３２が、第１変形容易部３７の変形により折れ曲がるようになる。
【００３９】
そして、実施例のマットレス３０は、前記第１底板１５における一方のサイド底板１５ｂが、センター底板１５ａに対して第５ヒンジ部２５を中心として姿勢変位することで、第１基体部３２における一方のサイド部分３２ｂが、第５変形容易部４１が変形することでセンター部分３２ａに対して折れ曲がる。また、第１底板１５における他方のサイド底板１５ｃが、センター底板１５ａに対して第６ヒンジ部２６を中心として姿勢変位することで、第１基体部３２における他方のサイド部分３２ｃが、第６変形容易部４２が変形することでセンター部分３２ａに対して折れ曲がる。
【００４０】
ベッドＢＤ２がリクライニング状態となることに伴って折り曲げ状態となった実施例のマットレス３０は、第２基体部３３により、使用者の腰部、臀部、大腿部および脚部を支持すると共に、第１基体部３２により、使用者の上半身を起き上がった姿勢で支持することができる。また、第１基体部３２においては、センター部分３２ａにより、使用者の上半身における背中および頭部を支持し得ると共に、一方のサイド部分３２ｂおよび他方のサイド部分３２ｃにより、当該使用者の左右の肩部および左右の腕部を短手方向からホールドすることができる。
【００４１】
従って、実施例のマットレス３０によれば、ベッドＢＤ２がリクライニング状態に姿勢変位することに伴い、基体３１における第１基体部３２において、第２基体部３３に連なるセンター部分３２ａに対して短手方向に連なる一対のサイド部分３２ｂ,３２ｃが、基体３１の表側へ傾斜した姿勢に折れ曲がるので、短手方向における使用者の上半身のホールド性を向上することができる。しかも、基体３１の短手方向に離間した一対のサイド部分３２ｂ,３２ｃが、使用者の上半身を短手方向の両側からホールドするので、使用者の上半身を安定的に保持することができる。
【００４２】
また、スリット５５,５６の開口幅を、第２裏溝４８ａの開口幅に合わせて大きく設定してあるので、第１基体部３２の一方のサイド部分３２ｂおよび他方のサイド部分３２ｃと第２基体部３３とが干渉し難い。更に、第１基体部３２の一方のサイド部分３２ｂおよび他方のサイド部分３２ｃに、第１の面取り部５７ａおよび第２の面取り部５７ｂを設けると共に、第２基体部３３に第３の面取り部５８ａおよび第４の面取り部５８ｂを設けたことにより、第１基体部３２を第２基体部３３に対して折り曲げた状態で、一方のサイド部分３２ｂおよび他方のサイド部分３２ｃを、第２基体部３３に干渉することなく適切に折り曲げることができる。
【００４３】
また、実施例のマットレス３０は、基体３１の表側において短手方向へ延設した第２表溝４６および該基体３１の裏側において長手方向へ延設した第１裏溝４７の各交差位置に、当該基体３１の表側および裏側へ開口する多数の通気孔５２が開設されているので、通気性が向上して使用感の向上を図り得る。特に、第２表溝４６および第１裏溝４７を形成した結果として各通気孔５２が開設されるようになるので、マットレス３０の製造工程において、該通気孔５２を開設する作業工程が不要となり、マットレス３０の製造コストが嵩むのを抑え得る。
【００４４】
(変更例)
本発明は、前記実施形態を次のように変更して構成することもできる。
（１）基体に設けられたスリットは、実施例に示す長さに限るものではなく、実施例よりも長く形成してもよい。
（２）第５変形容易部および第６変形容易部を設ける位置は、短手方向においてスリットの端部に整合する位置に限るものではなく、該スリットの端部と長手端部との間の適宜位置において、該スリットの延在方向と交差する方向へ延在するように設けてもよい。
（３）各サイド部分は、実施例で示すように、センター部分に対して平坦状に傾斜した状態に折れ曲がるものに限らず、変形容易部から長手端部に近づくにつれて凹状に湾曲した形状で傾斜した状態に折れ曲がるように構成することも可能である。
（４）基体の表側に延設される表溝および該基体の裏側に延設される裏溝の形成数は、実施例で例示した数に限らず、これより多くても少なくてもよい。また、表溝の形成位置および裏溝の形成位置も、様々に変更することが可能である。
（５）基体の表側に延設される第１表溝の深さ寸法および該基体の裏側に延設される第２裏溝の深さ寸法の合計深さ寸法を、基体の厚み寸法より大きく設定して、該第１表溝および第２裏溝の交差位置に、基体の表側および裏側に開口する通気孔を形成するようにしてもよい。
（６）第１表溝および第２表溝の夫々は、深さ寸法が同じではなく異ならせてもよい。また、第１裏溝および第２裏溝の夫々は、深さ寸法が同じではなく異ならせてもよい。更に、表溝および裏溝の夫々は、全長方向における深さ寸法が一定ではなく異ならせてもよい。
【符号の説明】
【００４５】
３１ 基体，３１ｃ 一方の長手端部(長手端部)，３１ｄ 他方の長手端部(長手端部)
３２ 第１基体部(一方の基体部)，３２ａ センター部分(基部)
３２ｂ 一方のサイド部分(可動部)，３２ｃ 他方のサイド部分(可動部)
３３ 第２基体部(他方の基体部)，３７ 第１変形容易部(第１の変形容易部)
４１ 第５変形容易部(第２の変形容易部)，４２ 第６変形容易部(第２の変形容易部)
４６ 第２表溝(第１溝)，４７ 第１裏溝(第２溝)，５２ 通気孔
５５ 一方のスリット(スリット)，５６ 他方のスリット(スリット)
５７ａ 第１の面取り部(第１面取り部)，５７ｂ 第２の面取り部(第１面取り部)
５８ａ 第３の面取り部(第２面取り部)，５８ｂ 第４の面取り部(第２面取り部)
Ｄ 厚み寸法，Ｄ２ 深さ寸法(第２表溝の)，Ｄ３ 深さ寸法(第１裏溝の)
Ｄｔ 合計深さ寸法
【図１】
0006564671.tif 000002
【図２】
0006564671.tif 000003
【図３】
0006564671.tif 000004
【図４】
0006564671.tif 000005
【図５】
0006564671.tif 000006
【図６】
0006564671.tif 000007
【図７】
0006564671.tif 000008
【図８】
0006564671.tif 000009
【図９】
0006564671.tif 000010